(57)【要約】      （修正有）【課題】地球温暖化防止の対策としてのＣＯ2排出削減に一役買い、意匠性に優れた新規な照明装置を提供する。【解決手段】照明装置１を、太陽電池３と、太陽電池３から出力される電力によって発光する光源４とを有するようにし、さらに太陽電池３を、光源４から発せられる光の光路の少なくとも一部と重なるように配置する。【選択図】図１
2013125860.tif 000002
【特許請求の範囲】
【請求項１】
太陽電池と、
前記太陽電池から出力される電力によって発光する光源と、を有し、
前記太陽電池は、前記光源から発せられる光の光路の少なくとも一部と重なるように配置されていることを特徴とする照明装置。
【請求項２】
前記太陽電池が、
前記光源と対向する位置に第一の受光面のみを有している、もしくは
前記光源と対向する位置の裏面に第二の受光面のみを有している、もしくは、
前記第一の受光面と第二の受光面の双方を有している、
ことを特徴とする請求項１に記載の照明装置。
【請求項３】
前記太陽電池が、色素増感型太陽電池であることを特徴とする請求項１または２に記載の照明装置。
【発明の詳細な説明】
【技術分野】
【０００１】
本発明は照明装置に関する。
【背景技術】
【０００２】
従来から種々の照明装置が開発されており、近年は、いわゆる省エネ対策の一環として発光ダイオードを光源とするものなどが流行している（例えば、特許文献１参照）。
【０００３】
一方で、太陽から照射される光エネルギーを電気エネルギーに変換する太陽電池は、地球温暖化防止の対策として注目されており、太陽光をより効率良く利用することは人類全体の課題とも言える。なお、現在、地球温暖化防止の対策として、世界規模でＣＯ2排出削減の取り組みが行われており、石油依存からの脱却の一策として太陽電池への期待が高まっている。
【先行技術文献】
【特許文献】
【０００４】
【特許文献１】特開２００２−１１７７０５号公報
【発明の概要】
【発明が解決しようとする課題】
【０００５】
本発明はこのような観点からなされたものであり、地球温暖化防止の対策としてのＣＯ2排出削減に一役買う、太陽電池を用いた新規な照明装置を提供することを主たる課題とする。
【課題を解決するための手段】
【０００６】
上記課題を解決するための本発明の照明装置は、太陽電池と、前記太陽電池から出力される電力によって発光する光源と、を有し、前記太陽電池は、前記光源から発せられる光の光路の少なくとも一部と重なるように配置されていることを特徴とする。
【０００７】
上記の発明にあっては、前記太陽電池が、前記光源と対向する位置に第一の受光面のみを有している、もしくは前記光源と対向する位置の裏面に第二の受光面のみを有している、もしくは、前記第一の受光面と第二の受光面の双方を有していてもよい。
【０００８】
また、上記の発明にあっては、前記太陽電池が、色素増感型太陽電池であってもよい。
【発明の効果】
【０００９】
本発明の照明装置によれば、光源を発光せしめるにあたり太陽電池から出力される電力を用いるので、その分だけ省エネに資することができる。また、太陽電池は、光源から発せられる光の光路の少なくとも一部と重なる位置に設置されているため、当該太陽電池の存在により、光源からの光の見え方に変化を付与することができ、照明装置の意匠性を向上することができる。
【図面の簡単な説明】
【００１０】
【図１】本発明の照明装置の一部切り欠き斜視図である。
【図２】図１に示す照明装置のＡ−Ａ断面図である。
【図３】１つの太陽電池３と光源との関係を説明するための図である。
【図４】本発明の他の実施形態にかかる照明装置の斜視図である。
【図５】図４に示す照明装置の一の側面の縦断面図である
【発明を実施するための形態】
【００１１】
以下、本発明の照明装置について図面を用いて説明する。
【００１２】
図１は、本発明の照明装置の一部切り欠き斜視図である。
【００１３】
図２は、図１に示す照明装置のＡ−Ａ断面図である。
【００１４】
図１、２に示す照明装置１は、傘２を有する全体としてキノコ型電気スタンドとしての照明装置である。そして、当該照明装置１は、傘２にストライプ状に設けられた太陽電池３と、光源である電球４とを備えている。図示するように、太陽電池３は、光源である電球４から発せられる光の光路の少なくとも一部と重なるように配置されている。また、図示はしないが、太陽電池３と電球４とは電気的に接続されている。そして、当該照明装置は、太陽電池３が光を透過するか否か、および太陽電池３同士の隙間Ｇに存在する傘２が光を透過する否かにより以下の３つの態様がある。
【００１５】
（第１の態様）
この態様は、傘２の材質が光を透過する材質であり、太陽電池３は光を透過しない太陽電池である場合の態様である。第１の態様の照明装置１によれば、電球４から発せられた光は、傘２にストライプ状に設けられた太陽電池３同士の隙間Ｇから木漏れ日の如く照射されるので、照明装置１に一種の趣を付与することができる。
【００１６】
（第２の態様）
この態様は、前記第１の態様とは逆で、傘２の材質が光りを透過しない材質であり、太陽電池３は光を透過する太陽電池である場合の態様である。第２の態様の照明装置１によれば、電球４から発せられた光は、傘２にストライプ状に設けられた太陽電池３を透過して木漏れ日の如く照射されるので、前記第１の態様と同様、照明装置１に一種の趣を付与することができる。
【００１７】
（第３の態様）
この態様は、傘２の材質が光を透過する材質であり、太陽電池３も光を透過する太陽電池である場合の態様である。第３の態様の照明装置１によれば、電球４から発せられた光は、太陽電池３を透過した光と、当該太陽電池３同士の隙間Ｇを透過した光の両方となるため、やはり照明装置に趣を付与することができる。
【００１８】
上記第１〜３の態様のように、本発明の照明装置１においては、太陽電池３と当該太陽電池３同士の隙間Ｇつまり傘２の材質のそれぞれについて、光源としての電球４からの光を透過させるか否かを自由に選択することができ、これにより照明装置の意匠を自由に設計することができる。なお、上記第１〜３の態様を合わせて一つの照明装置としてもよい。
【００１９】
図３は、１つの太陽電池３と光源との関係を説明するための図である。
【００２０】
本発明の照明装置は、上記第１〜３の態様とは別に、任意の１つの太陽電池３と光源としての電球４との関係においても以下の３つの態様がある。
【００２１】
（第４の態様）
図３（ａ）に示すように、この態様は、光源としての電球４に対向する位置に太陽電池３の受光面Ｘが位置している。第４の態様の照明装置によれば、太陽電池３は、光源としての電球４から発せられた光を受光面Ｘにて効率よく受光することができる。
【００２２】
（第５の態様）
図３（ｂ）に示すように、この態様は、上記第４の態様とは逆で、光源としての電球４に対向する位置の裏側に太陽電池３の受光面Ｘが位置している。第５の態様の照明装置によれば、太陽電池３は、光源としての電球４からの光ではなく、太陽や室内灯などから発せられる外光を効率よく受光することができる。
【００２３】
（第６の態様）
図３（ｃ）に示すように、この態様は、いわゆる両面受光型の太陽電池３を用いた態様であり、太陽電池３は、光源としての電球４に対向する位置に第一の受光面Ｘを有しているとともに、当該第一の受光面Ｘの裏側にも第二の受光面Ｘ'を有している。第６の態様の照明装置によれば、太陽電池３は、光源としての電球４からの光と、太陽や室内灯などからの光の両方を効率よく受光することができる。
【００２４】
上記第４〜６の態様のように、本発明の照明装置１においては、太陽電池３の向き、具体的には太陽電池の受光面Ｘの向きと光源４との関係を自由に設計することができ、当該関係を工夫することにより、照明装置１自らの光により発電するようにすることもできるし、太陽や室内光など照明装置１以外から発せられる光により発電することもできるし、その両方とすることもできる。なお、上記第４〜６の態様を合わせて一つの照明としてもよく、これら第４〜６の態様と、上記で説明した第１〜３の態様とは自由に組み合わせが可能である。
【００２５】
次に、上述してきたように種々の態様を取り得る本発明の照明装置１に用いられる太陽電池３について以下に説明する。
【００２６】
（太陽電池）
本発明の照明装置において用いられる太陽電池３については、特に限定されることはなく、従来公知のものを適宜選択して用いることができる。例えば、単結晶シリコン型太陽電池、多結晶シリコン型太陽電池、アモルファスシリコン型太陽電池、化学物系太陽電池、色素増感型太陽電池、量子ドット型太陽電池、有機薄膜型太陽電池等を挙げることができる。
【００２７】
これらの中でも、色素増感型太陽電池は、蛍光灯などの室内光や、窓際など、低照度での発電効率が高いといった利点や、製造工程に真空条件を必要とせず製造コストが低いといった利点から、本発明の照明装置に好適に用いることができる。さらに、色素増感型太陽電池は、これを構成する光電変換層の材料やその配合割合を工夫することなどにより、その全体を有色透明とすることができるため、光源からの光を当該色素増感型太陽電池に透過させることができ、傘２の材質などと合わせて照明装置全体の意匠性をより向上することができる。
【００２８】
上記で挙げた種々の太陽電池を照明装置に立体的に配置するにあたっては、予め、配置すべき立体形状、例えば図１に示す傘２の場合は傘の形状に合わせて太陽電池を作成・加工し、これを貼り合わせていく方法を採用してもよい。また一方で、フレキシブル性に優れた太陽電池を用意し、これを配置すべき立体形状に合わせて撓ませることにより設置する方法を採用してもよい。特に、フレキシブル性を有した太陽電池を本発明に用いることにより、図１に示したような曲面形状の傘２にも容易に設置可能となる。なお、フレキシブル性の太陽電池を用い、上記第６の態様の照明装置とする場合には、太陽電池の内部を光がスムーズに透過できるように、曲率などを考慮して、内側つまり光源と対向する側の光電変換層を、裏側つまり外側の光電変換層よりも小さくしておいてもよい。
【００２９】
さらに、上記第６の態様の照明装置とする場合には、内側つまり光源と対向する側の光電変換層と、裏側つまり外側の光電変換層の材質を、それぞれが受光し得る光の波長に併せて変化させてもよい。具体的には、例えば光源と対向する側の光電変換層には、光源である電球が発する光の波長を効率良く吸収する光電変換層とし、一方で裏側つまり外側の光電変換層には、太陽光の波長を効率良く吸収する光電変換層を用いてもよい。光源が白熱電球、発光ダイオード蛍光灯のような室内光源の場合には、アモルファスシリコン型太陽電池や色素増感型太陽電池を用いることが好ましい。
【００３０】
なお、上述してきた太陽電池には、当該太陽電池から電力を取り出すための配線（図示せず）が接続されていることは言うまでもなく、当該配線は光源に接続されている。
【００３１】
次に、上述してきたように種々の態様を取り得る本発明の照明装置１に用いられる光源４について説明する。
【００３２】
（光源）
本発明の照明装置において用いられる光源についても特に限定されることはなく、従来公知の光源を適宜選択して用いることができる。例えば、白熱電球、発光ダイオード、蛍光灯、アーク灯、エレクトロルミネセンスライト、などを挙げることができる。なお、これらの光源に色が付いていても問題ない。
【００３３】
（その他の構成）
本発明の照明装置１においては、上記で説明した構成以外の構成が付与されていてもよい。例えば、太陽電池３から出力される電力を一時的に蓄電し、適宜放電するための二次電池が太陽電池３と光源としての電球４との間に設けられていてもよい。また、当該照明装置１の周りの光度を測定し、自動的に電球のオンオフをする光度センサーが設けられていてもよい。
【００３４】
（他の実施形態）
図４は、本発明の他の実施形態にかかる照明装置の斜視図である。
【００３５】
図５は、図４に示す照明装置の一の側面の縦断面図である。
【００３６】
図４に示す照明装置４０は、全体として箱形の照明装置である。当該照明装置４０は、上面がない立方体４１の内部に光源としての蛍光灯４２が設置されており、前記立方体４１の側面には、図示するように太陽電池４３が横縞状に配置されている。
【００３７】
そして、図５に示すように、立方体４１の各側面は光を透過する透明なアクリル板で形成されており、その両面に太陽電池３が配置されている。このように、太陽電池を表裏に別個独立に配置することによりいわゆる両面受光としてもよい。
【符号の説明】
【００３８】
１，４０  照明装置
２  傘
３，４３  太陽電池
４  電球（光源）
４１  立方体
４２  蛍光灯（光源）
Ｇ  隙間
Ｘ  （第一）受光面
Ｘ'  第二受光面
【図１】
2013125860.tif 000003
【図２】
2013125860.tif 000004
【図３】
2013125860.tif 000005
【図４】
2013125860.tif 000006
【図５】
2013125860.tif 000007